(57)【要約】【課題】従来のオートプリセットなどでは、ユーザーが契約を行わなければ視聴できない有料放送チャンネルもダイレクト選局キーにプリセットされてしまうので、ユーザーが視聴可能なチャンネルのみをプリセットするには、オートプリセット後に手動でプリセットをし直すしかなかった。【解決手段】本発明では、各チャンネルが課金対象の放送かどうかの情報、課金対象の放送に対するユーザーの契約の有無という情報を保持するデータベースを備え、前記データベースを用いて、無料放送チャンネル、または、契約済チャンネルのみを各ダイレクト選局キーに自動的にプリセットする機能を有したテレビ受像機を提供する。  本発明により、オートプリセットなどを行った後のダイレクト選局キーによる選局で、無料チャンネル、または、契約済チャンネルのみを選択させることができる。【選択図】図３
2007208605.tif 000002
【特許請求の範囲】
【請求項１】
選局チャンネルを直接選択するダイレクト選局キー、各ダイレクト選局キーのチャンネルや課金情報を記憶しておくための不揮発性メモリ、各チャンネルが課金対象の放送かどうかの情報、課金対象の放送に対するユーザーの契約の有無という情報を保持するデータベースを備え、前記データベースを用いて、無料放送チャンネル、または、契約済チャンネルのみを前記各ダイレクト選局キーに自動的にプリセットし、各ダイレクト選局キーのプリセット結果を前記不揮発性メモリに保持するプリセット処理部を備えることを特徴としたテレビ受像機。
【請求項２】
選局チャンネルを直接選択するダイレクト選局キーにプリセットするチャンネルとして、ユーザーが視聴可能なチャンネル（無料放送チャンネル、または、契約済チャンネル）を選択できる入力部を備えることを特徴とする請求項第１記載のテレビ受像機。
【請求項３】
選局チャンネルを直接選択するダイレクト選局キー、各ダイレクト選局キーごとのチャンネルと課金情報、無料チャンネル用のプリセット結果、契約済みチャンネル用のプリセット結果を保持する不揮発性メモリ、各チャンネルが課金対象の放送かどうかの情報、課金対象の放送に対するユーザーの契約の有無という情報を保持するデータベースを備え、選局チャンネルを直接選択するダイレクト選局キーにプリセットするチャンネルとして、ユーザーが視聴可能なチャンネル（無料放送チャンネル、または、契約済チャンネル）を選択してプリセットを行った場合に、契約済チャンネルを優先的にプリセットするための判断手段を有したプリセット処理部を備えることを特徴とする請求項第１記載のテレビ受像機。
【発明の詳細な説明】
【技術分野】
【０００１】
本発明は、地上波放送、衛星放送などを受信できるテレビジョン受像機に関する。
【背景技術】
【０００２】
テレビジョン放送は、近年、デジタル技術の導入や周波数帯域の効率的な使用により、高画質／多チャンネルの傾向にあり、ユーザーは膨大なチャンネルの中から視聴したい番組を選択しなければならない。さらに、増加傾向にあるチャンネルの中には有料チャンネルも含まれ、その場合、契約を行って初めて視聴可能となるが、契約を行わないと、スクランブル暗号によりチャンネルを選択しても不快な映像／音声が出力され、ユーザーが視聴したい番組を選択するまでの操作が一層煩わしくなる。特開平１０−２７６３７３号公報  において、チャンネルアップ・ダウンキー押下時に、契約していない有料チャンネルをスキップすることで、ユーザーの選局の効率化を図るテレビジョン受像機が提案されている。
【特許文献１】特開平１０−２７６３７３号公報
【発明の開示】
【発明が解決しようとする課題】
【０００３】
しかしながら、前記契約していない有料チャンネルをスキップする方法においても、ダイレクト選局キーには、契約していない有料放送がプリセットされている可能性があり、その場合、ダイレクト選局キーによる選局ではスクランブル放送が出力され、ユーザーにとって不快なチャンネルが選択されることになる。
【０００４】
本発明は、アップ・ダウンキーによる選局だけでなく、ダイレクト選局キーによる選局においても、ユーザーにとって不快なスクランブル放送が選択されることなく、ユーザーが視聴可能なチャンネルのみを選択できるテレビ受像機を提供することを目的とする。
【課題を解決するための手段】
【０００５】
以上の課題を解決するために、請求項１に記載のテレビ受像機は、選局チャンネルを直接選択するダイレクト選局キー、各ダイレクト選局キーごとのチャンネルや課金情報を記憶しておくための不揮発性メモリ（ＥＥＰＲＯＭ）、各チャンネルが課金対象の放送かどうかの情報、課金対象の放送に対するユーザーの契約の有無という情報を保持するデータベースを備え、前記データベースを用いて、無料放送チャンネル、または、契約済チャンネルのみを前記各ダイレクト選局キーに自動的にプリセットし、各ダイレクト選局キーのプリセット結果を前記不揮発性メモリに保持する機能を備える。
【０００６】
請求項２に記載のテレビ受像機は、ユーザーが視聴可能なチャンネル（無料放送チャンネル、または、契約済チャンネル）のみをプリセットするかどうかを選択できる選択手段を備える。
【０００７】
請求項３に記載のテレビ受像機は、選局チャンネルを直接選択するダイレクトキーにプリセットするチャンネルとして、ユーザーが視聴可能なチャンネルを選択してプリセットを行った場合に、契約済チャンネルを優先的にプリセットするための判断手段を備える。
【発明の効果】
【０００８】
本発明により、オートプリセットなどを行った後、ダイレクト選局キーによる選局で、無料チャンネル、または、契約済チャンネルのみを選択することができるので、ユーザーはダイレクト選局キーによる選局において不快なスクランブル放送を選択しなくてよくなり、操作性が向上する。
【発明を実施するための最良の形態】
【０００９】
（実施の形態１）
本発明の実施例を示す。図１は本発明にかかる当実施の形態におけるテレビ受像機の構成を示すブロック図である。図１において、１０は、リモコン信号を受信する入力部である。１１は、プリセット処理を実行する部分である。１２は、各チャンネルの課金情報、課金対象の放送に対するユーザーの契約の有無を保持するデータベース部である。１３は、各ダイレクト選局キーのチャンネル、料金、契約の有無の情報を保持する部分である。
【００１０】
図２は地上波アナログ放送のプリセット設定画面を示す図であり、１０１は全チャンネルをプリセット対象としたオートプリセット、１０２は無料チャンネル、または、有料チャンネルだがユーザーが契約しているチャンネルをプリセット対象としたオートプリセット、１０３はユーザーが手動で行うプリセットである。
【００１１】
図２において、カーソルを移動し、１０１、１０２、１０３の項目にカーソルがあたっている状態で決定キーを押下すると、図１の１０の入力部を経由して、１１のプリセット処理部に対して、カーソルがあたっている項目のプリセット命令が出され、プリセット処理が動作する。
【００１２】
図３は、図２のプリセット設定画面において、１０１の項目にカーソルがあたっている状態で決定キーを押下した場合の、全チャンネルをプリセット対象とした一般的なオートプリセットの処理結果の例を示す図で、有料チャンネルでユーザーが契約していないチャンネルもダイレクト選局キーに割り当てられる。
【００１３】
図４は、図２のプリセット設定画面において、１０２の項目にカーソルがあたっている状態で決定キーを押下した場合の、無料チャンネル、または、有料チャンネルだがユーザーが契約しているチャンネルをプリセット対象としたオートプリセットの処理結果の例を示す図で、ユーザーが視聴可能なチャンネルのみがダイレクト選局キーに割り当てられる。
【００１４】
図５は、無料チャンネル、または、有料チャンネルだがユーザーが契約しているチャンネルをプリセット対象としたオートプリセットの処理手順を示すフローチャートである。
【００１５】
図５に示す処理手順においては、まず、ダイレクト選局キーのプリセット情報を初期化し、その後、１チャンネルを選局し、同期があるかどうかの判断がなされる。
【００１６】
同期がなければ続けて次のチャンネルを探すが、同期があった場合は、そのチャンネルがユーザーの視聴可能なチャンネル（無料チャンネル、または、契約済チャンネル）かどうかの判断がなされる。
【００１７】
ユーザーの視聴不可能なチャンネルと判断された場合は、続けて次のチャンネルを探すが、ユーザーの視聴可能なチャンネルと判断された場合は、図１における１３の各ダイレクト選局キー領域の中で、まだチャンネルがプリセットされていない最も若い番号のダイレクト選局キー領域に１チャンネル、１チャンネルの課金情報、１チャンネルに対するユーザーの契約情報を割り当て、不揮発性メモリに保存し、続けて次のチャンネルを探す。
【００１８】
この動作を全てのチャンネルに対して行い、最終チャンネルの割り当て処理が完了したら、プリセット処理を終了する。
【００１９】
（実施の形態２）
本発明の別の実施例を示す。前記実施の形態１の例では、無料チャンネル、または、契約済みチャンネルのみをプリセットするプリセット機能について説明したが、ユーザーが有料チャンネルを契約するということは、そのチャンネルに対するユーザーの視聴希望度合いは高いと考えられ、ユーザーの視聴可能なチャンネルのうち、契約済みチャンネルを優先的にダイレクト選局キーにプリセットすることは、ユーザーにとって有意義であるといえる。
【００２０】
図６は本発明にかかる当実施の形態におけるテレビ受像機の構成を示すブロック図である。図６において、１４は、リモコン信号を受信する入力部である。１５は、プリセット処理を実行する部分である。１６は、各チャンネルの課金情報、課金対象の放送に対するユーザーの契約の有無を保持するデータベース部である。１７は、各ダイレクト選局キーのチャンネル、料金、契約の有無の情報を保持する部分である。１８は、無料チャンネルのプリセット結果を保持する部分である。１９は、契約済みチャンネルのプリセット結果を保持する部分である。２０は契約済みチャンネルを優先的にプリセットするための判断手段である。
【００２１】
図７は、ユーザーの視聴可能なチャンネルのみをプリセットする場合において、契約済みチャンネルを優先的にプリセットする機能の処理手順を示すフローチャートである。
【００２２】
まず、ダイレクト選局キーのプリセット情報を初期化し、その後、１チャンネルを選局し、同期があるかどうかの判断がなされる。
【００２３】
同期がなければ続けて次のチャンネルを探すが、同期があった場合は、そのチャンネルがユーザーの視聴可能なチャンネル（無料チャンネル、または、契約済チャンネル）かどうかの判断がなされる。
【００２４】
ユーザーの視聴不可能なチャンネルと判断された場合は、続けて次のチャンネルを探すが、ユーザーの視聴可能なチャンネルと判断された場合は、契約済みチャンネルかどうかの判断を行う。
【００２５】
無料チャンネルの場合は、図６の１８の無料チャンネル用の領域に１チャンネルを保持し、不揮発性メモリに保存し、続けて次のチャンネルを探す。
【００２６】
契約済みチャンネルの場合は、図６の１９の契約済みチャンネル用の領域に１チャンネル、１チャンネルの課金情報、１チャンネルに対するユーザーの契約情報を保持し、不揮発性メモリに保存して、続けて次のチャンネルを探す。
【００２７】
この動作を全てのチャンネルに対して行い、最終チャンネルの処理が完了したら、ダイレクト選局キーへのプリセット処理を行う。
【００２８】
図８は、ダイレクト選局キーへのプリセット処理を行う前のダイレクト選局キー、契約済みチャンネル、無料チャンネルの不揮発性メモリ状態の一例を示す図である。図８は、ダイレクト選局キーがキー１からキー１２までの１２個の場合の例であり、ダイレクト選局キーのチャンネル情報（チャンネル、料金、契約情報）がそれぞれ１２個保存できる。また、図８の契約済みチャンネルのプリセット結果、および、無料チャンネルのプリセット結果については、ダイレクト選局キーの番号とチャンネル番号をあわせるようにバッファ領域に保存した場合の例を示している。
【００２９】
図７において、最終チャンネル処理完了後にダイレクト選局キーへのプリセット処理を開始すると、まず、図６の１９の領域に格納してある契約済みチャンネルのチャンネル、チャンネルの課金情報、チャンネルに対するユーザーの契約情報を図６の１７のダイレクト選局キー領域に割り当て、不揮発性メモリに保存する。
【００３０】
図９は契約済みチャンネルのチャンネル、チャンネルの課金情報、チャンネルに対するユーザーの契約情報をダイレクト選局キーに割り当てた後の不揮発性メモリ状態を示す図である。
【００３１】
次に、図６の１８の領域に格納してある無料チャンネルをダイレクト選局キー領域に割り当て、不揮発性メモリに保存する。この時、図６の２０の判断手段により、すでに契約済みチャンネルが割り当てられているダイレクト選局キーへは無料チャンネルの割り当てを行わない。
【００３２】
図１０は、契約済みチャンネル、無料チャンネルをダイレクト選局キーに割り当てた後の不揮発性メモリ状態を示す図である。
【００３３】
前記契約済みチャンネルを優先的に割り当てるプリセット処理により、ユーザーが視聴可能なチャンネルのみをプリセットするプリセット機能において、契約済みチャンネルを優先的にプリセットすることができる。
【００３４】
また、契約済みチャンネルと無料チャンネルのプリセット結果を不揮発性メモリに保持しておくことによって、例えば、ダイレクト選局キーにプリセットされた契約済みチャンネルの契約が解消された場合に、図１１のように、保存していた無料チャンネルを自動的に当該ダイレクト選局キーにプリセットすることにより、ユーザーが再度プリセット処理を動作させなくても、ユーザーの視聴可能なチャンネルのみがダイレクト選局キーにプリセットされる。
【００３５】
前記契約済みチャンネルを優先的に割り当てるプリセット処理により、ＰＰＶなど一定時間後に契約が解消される課金方式においても、不揮発性メモリに保存しているプリセット結果を用いれば、契約解消後に契約済みチャンネル、または、無料チャンネルを自動的に再プリセットできる。
【００３６】
なお、前記実施例では、地上波アナログ放送のプリセットについて述べたが、地上波デジタル放送やＢＳデジタル放送、ＣＳデジタル放送など全ての放送のプリセットに関して同様である。
【００３７】
また、前記実施例の図２では、プリセットの種類を設定画面で選択する例を挙げたが、全チャンネルを対象とするか、ユーザーが視聴可能なチャンネルを対象とするかの選択は、別途メニュー画面などで切り換えて、その状態を元に選局やプリセットを動作させることもできる。
【産業上の利用可能性】
【００３８】
本発明の、無料チャンネル、または、契約済みチャンネルのみをプリセットするテレビ受像機は、デジタル技術の導入による多チャンネル化や、増加傾向にあるスクランブル放送などによるユーザーの選局操作の煩わしさを解消することができ、有用である。
【図面の簡単な説明】
【００３９】
【図１】第１の実施例におけるテレビ受像機の構成を示すブロック図
【図２】第１の実施例における、地上波アナログ放送プリセット設定画面を示す図
【図３】第１の実施例における、全チャンネルを対象としたプリセット結果を示す図
【図４】第１の実施例における、無料、または、契約済チャンネルを対象としたプリセット結果を示す図
【図５】第１の実施例における、無料、または、契約済チャンネルを対象としたプリセットの処理手順を示すフローチャート
【図６】第２の実施例における、テレビ受像機の構成を示すブロック図
【図７】第２の実施例における、無料、または、契約済チャンネルを対象としたプリセット処理において、契約済みチャンネルを優先的にダイレクト選局キーに割り当てる処理手順を示すフローチャート
【図８】第２の実施例における、ダイレクト選局キーへのプリセットを行う前のメモリ状態の例を示す図
【図９】第２の実施例における、ダイレクト選局キーに契約済みチャンネルを割り当て後のメモリ状態の例を示す図
【図１０】第２の実施例における、ダイレクト選局キーに契約済みチャンネル、無料チャンネルを割り当て後のメモリ状態の例を示す図
【図１１】第２の実施例における、ダイレクト選局キーに割り当てた契約済みチャンネルの契約条件が変化した場合に自動再プリセットされたメモリ状態の例を示す図
【符号の説明】
【００４０】
１０、１４    リモコン入力部
１１、１５    プリセット処理部
１２、１６    各チャンネルの課金情報、課金対象の放送に対するユーザーの契約の有無を保持するデータベース部
１３、１７    各ダイレクト選局キーのチャンネル、料金、契約の有無の情報格納部
１８    無料チャンネルのプリセット結果の情報格納部
１９    契約済みチャンネルのプリセット結果の情報格納部
２０    契約済みチャンネルを優先的にプリセットするための判断手段
１０１    全チャンネルを対象としたオートプリセット選択項目
１０２    無料、または、契約済チャンネルを対象としたオートプリセット選択項目
１０３    手動プリセット選択項目
【図１】
2007208605.tif 000003
【図２】
2007208605.tif 000004
【図３】
2007208605.tif 000005
【図４】
2007208605.tif 000006
【図５】
2007208605.tif 000007
【図６】
2007208605.tif 000008
【図７】
2007208605.tif 000009
【図８】
2007208605.tif 000010
【図９】
2007208605.tif 000011
【図１０】
2007208605.tif 000012
【図１１】
2007208605.tif 000013